(57)【要約】【課題】既存のアプリケーション層を変更することなく、通信品質を高めることができる通信装置を提供する。【解決手段】通信装置２は、同一のデータフレームを単位時間内に複数回繰り返し送信する場合の送信回数であって、同一のデータフレームの単位時間あたりのデータ容量に送信回数を乗じた合計データ容量が、無線ネットワーク１０の転送レートを超えないような送信回数を示す送信回数情報を取得する取得部１４と、送信回数情報により示される送信回数に基づいて、同一のデータフレームを単位時間内に複数回繰り返しマルチキャスト又はブロードキャストで複数の外部端末８の各々に送信する通信部１６とを備える。【選択図】図３
2020137055.tif 000002
【特許請求の範囲】
【請求項１】
複数の外部端末の各々と無線ネットワークを介して接続される通信装置であって、
同一のデータフレームを単位時間内に複数回繰り返し送信する場合の送信回数であって、前記同一のデータフレームの前記単位時間あたりのデータ容量に前記送信回数を乗じた合計データ容量が、前記無線ネットワークの転送レートを超えないような前記送信回数を示す送信回数情報を取得する取得部と、
前記送信回数情報により示される前記送信回数に基づいて、前記同一のデータフレームを前記単位時間内に複数回繰り返しマルチキャスト又はブロードキャストで前記複数の外部端末の各々に送信する通信部と、を備える
通信装置。
【請求項２】
前記通信部は、前記単位時間内に複数回繰り返し送信される前記同一のデータフレームに同一のシーケンス番号を割り当てる
請求項１に記載の通信装置。
【請求項３】
前記通信部は、前記単位時間内に１回目に送信される前記同一のデータフレームの再送ビットを無効化し、且つ、前記単位時間内に２回目以降に送信される前記同一のデータフレームの再送ビットを有効化する
請求項２に記載の通信装置。
【請求項４】
前記通信装置は、さらに、前記送信回数情報が予め記憶された記憶部を備え、
前記取得部は、前記送信回数情報を前記記憶部から読み出すことにより、前記送信回数情報を取得する
請求項１〜３のいずれか１項に記載の通信装置。
【請求項５】
前記通信装置は、さらに、前記同一のデータフレームの前記単位時間あたりのデータ容量に基づいて、前記送信回数を算出する算出部を備え、
前記取得部は、前記算出部により算出された前記送信回数を示す前記送信回数情報を取得する
請求項１〜３のいずれか１項に記載の通信装置。
【請求項６】
複数の外部端末の各々と無線ネットワークを介して接続される通信装置の制御方法であって、
同一のデータフレームを単位時間内に複数回繰り返し送信する場合の送信回数であって、前記同一のデータフレームの前記単位時間あたりのデータ容量に前記送信回数を乗じた合計データ容量が、前記無線ネットワークの転送レートを超えないような前記送信回数を示す送信回数情報を取得するステップと、
前記送信回数情報により示される前記送信回数に基づいて、前記同一のデータフレームを前記単位時間内に複数回繰り返しマルチキャスト又はブロードキャストで前記複数の外部端末の各々に送信するステップと、を含む
通信装置の制御方法。
【請求項７】
請求項６に記載の通信装置の制御方法をコンピュータに実行させる
プログラム。
【発明の詳細な説明】
【技術分野】
【０００１】
本発明は、通信装置、通信装置の制御方法及びプログラムに関する。
【背景技術】
【０００２】
複数の外部端末の各々と無線ネットワークを介して接続される通信装置が知られている（例えば、特許文献１参照）。通信装置と複数の外部端末の各々との間における通信方式として、マルチキャスト又はブロードキャストが用いられる。マルチキャスト及びブロードキャストでは、通信装置は、データフレームを複数の外部端末の各々に一斉に送信することができる。
【先行技術文献】
【特許文献】
【０００３】
【特許文献１】特開２００５−２４４８９７号公報
【発明の概要】
【発明が解決しようとする課題】
【０００４】
上述したマルチキャスト及びブロードキャストでは、その仕様上、データフレームが無線レイヤで欠落した場合に、無線レイヤでデータフレームの再送が行われない。そのため、アプリケーション層でデータフレームの再送処理が行われるように、無線通信のアプリケーションソフトウェアを再構築する必要がある。
【０００５】
しかしながら、アプリケーション層でデータフレームの再送処理が行われるようにするためには、既存のアプリケーション層を変更する必要があり、無線通信のアプリケーションソフトウェアの再構築が大がかりとなるという課題が生じる。
【０００６】
本発明は、このような課題に鑑みてなされたものであり、その目的は、既存のアプリケーション層を変更することなく、通信品質を高めることができる通信装置、通信装置の制御方法及びプログラムを提供することである。
【課題を解決するための手段】
【０００７】
上記目的を達成するために、本発明の一態様に係る通信装置は、複数の外部端末の各々と無線ネットワークを介して接続される通信装置であって、同一のデータフレームを単位時間内に複数回繰り返し送信する場合の送信回数であって、前記同一のデータフレームの前記単位時間あたりのデータ容量に前記送信回数を乗じた合計データ容量が、前記無線ネットワークの転送レートを超えないような前記送信回数を示す送信回数情報を取得する取得部と、前記送信回数情報により示される前記送信回数に基づいて、前記同一のデータフレームを前記単位時間内に複数回繰り返しマルチキャスト又はブロードキャストで前記複数の外部端末の各々に送信する通信部と、を備える。
【０００８】
本態様によれば、通信部は、送信回数情報により示される送信回数に基づいて、同一のデータフレームを単位時間内に複数回繰り返しマルチキャスト又はブロードキャストで複数の外部端末の各々に送信する。これにより、万一、１回目に送信したデータフレームが無線レイヤで欠落した場合であっても、２回目以降に送信したデータフレームを複数の外部端末の各々に送信することができる。したがって、既存のアプリケーション層を変更することなく、無線通信のソフトウェアの再構築を最小限に抑えながら、通信品質を高めることができる。
【０００９】
例えば、前記通信部は、前記単位時間内に複数回繰り返し送信される前記同一のデータフレームに同一のシーケンス番号を割り当てるように構成してもよい。
【００１０】
本態様によれば、複数の外部端末の各々において、同一のデータフレームが複数回受信されるのを回避することができる。
【００１１】
例えば、前記通信部は、前記単位時間内に１回目に送信される前記同一のデータフレームの再送ビットを無効化し、且つ、前記単位時間内に２回目以降に送信される前記同一のデータフレームの再送ビットを有効化するように構成してもよい。
【００１２】
本態様によれば、複数の外部端末の各々において、同一のデータフレームが複数回受信されるのをより一層確実に回避することができる。
【００１３】
例えば、前記通信装置は、さらに、前記送信回数情報が予め記憶された記憶部を備え、前記取得部は、前記送信回数情報を前記記憶部から読み出すことにより、前記送信回数情報を取得するように構成してもよい。
【００１４】
本態様によれば、取得部は、送信回数情報を記憶部から読み出すことにより、送信回数情報を容易に取得することができる。
【００１５】
例えば、前記通信装置は、さらに、前記同一のデータフレームの前記単位時間あたりのデータ容量に基づいて、前記送信回数を算出する算出部を備え、前記取得部は、前記算出部により算出された前記送信回数を示す前記送信回数情報を取得するように構成してもよい。
【００１６】
本態様によれば、同一のデータフレームの単位時間あたりのデータ容量に応じて、適切な送信回数を動的に設定することができる。
【００１７】
また、本発明の一態様に係る通信装置の制御方法は、複数の外部端末の各々と無線ネットワークを介して接続される通信装置の制御方法であって、同一のデータフレームを単位時間内に複数回繰り返し送信する場合の送信回数であって、前記同一のデータフレームの前記単位時間あたりのデータ容量に前記送信回数を乗じた合計データ容量が、前記無線ネットワークの転送レートを超えないような前記送信回数を示す送信回数情報を取得するステップと、前記送信回数情報により示される前記送信回数に基づいて、前記同一のデータフレームを前記単位時間内に複数回繰り返しマルチキャスト又はブロードキャストで前記複数の外部端末の各々に送信するステップと、を含む。
【００１８】
本態様によれば、送信回数情報により示される送信回数に基づいて、同一のデータフレームを単位時間内に複数回繰り返しマルチキャスト又はブロードキャストで複数の外部端末の各々に送信する。これにより、万一、１回目に送信したデータフレームが無線レイヤで欠落した場合であっても、２回目以降に送信したデータフレームを複数の外部端末の各々に送信することができる。したがって、既存のアプリケーション層を変更することなく、無線通信のソフトウェアの再構築を最小限に抑えながら、通信品質を高めることができる。
【００１９】
また、本発明の一態様に係るプログラムは、上述した通信装置の制御方法をコンピュータに実行させる。
【００２０】
本態様によれば、上述と同様に、既存のアプリケーション層を変更することなく、無線通信のソフトウェアの再構築を最小限に抑えながら、通信品質を高めることができる。
【発明の効果】
【００２１】
本発明の一態様に係る通信装置等によれば、既存のアプリケーション層を変更することなく、通信品質を高めることができる。
【図面の簡単な説明】
【００２２】
【図１】実施の形態１に係る通信システムの概要を示す図である。
【図２】実施の形態１に係る通信装置の機能構成を示すブロック図である。
【図３】実施の形態１に係る通信装置の通信部によるデータフレームの送信処理を説明するための図である。
【図４】比較例に係る通信装置における送信回数と転送レートとの関係を説明するための図である。
【図５】実施の形態１に係る通信装置における送信回数と転送レートとの関係を説明するための図である。
【図６】実施の形態１に係る通信装置の処理を示すフローチャートである。
【図７】実施の形態１に係る通信装置の処理を説明するための図である。
【図８】実施の形態１に係る通信装置により得られる効果を説明するための図である。
【図９】ＩＥＥＥ８０２．１１ｎ及びＩＥＥＥ８０２．１１ａｃの各規格における、転送レートと送信回数との対応関係を示す図である。
【図１０】実施の形態２に係る通信装置の機能構成を示すブロック図である。
【発明を実施するための形態】
【００２３】
以下、本発明の実施の形態について、図面を用いて詳細に説明する。なお、以下で説明する実施の形態は、いずれも包括的又は具体的な例を示すものである。以下の実施の形態で示される数値、形状、材料、構成要素、構成要素の配置位置及び接続形態、ステップ、ステップの順序等は、一例であり、本発明を限定する主旨ではない。また、以下の実施の形態における構成要素のうち、独立請求項に記載されていない構成要素については、任意の構成要素として説明される。
【００２４】
（実施の形態１）
［１．通信システムの概要］
まず、図１を参照しながら、実施の形態１に係る通信システム２の概要について説明する。図１は、実施の形態１に係る通信システム２の概要を示す図である。
【００２５】
図１に示すように、通信システム２は、映像配信装置４と、通信装置６と、複数の外部端末８とを備えている。通信装置６と複数の外部端末８の各々とは、無線ネットワーク１０を介して接続されている。無線ネットワーク１０は、例えばＩＥＥＥ８０２．１１シリーズに準拠した無線ＬＡＮ（Ｌｏｃａｌ  Ａｒｅａ  Ｎｅｔｗｏｒｋ）で構築されている。
【００２６】
映像配信装置４は、映像データを配信するための装置である。映像配信装置４は、例えば有線ＬＡＮで構築された有線ネットワークを介して通信装置６と接続されている。映像配信装置４は、映像データを、有線ネットワークを介して通信装置６に送信する。
【００２７】
通信装置６は、例えば無線ＬＡＮのアクセスポイントとして動作する。通信装置６は、映像配信装置４からの映像データを受信し、受信した映像データのデータフレームを、無線ネットワーク１０を介して複数の外部端末８の各々にマルチキャスト又はブロードキャストで一斉に送信（いわゆる、多重送信）する。
【００２８】
複数の外部端末８の各々は、例えば無線ＬＡＮのステーションとして動作する。複数の外部端末８の各々は、通信装置６からのデータフレームを受信し、受信したデータフレームに基づいて映像データを再生する。なお、複数の外部端末８の各々は、例えばスマートフォン、タブレット端末又はパーソナルコンピュータ等であり、再生した映像データを表示するための表示部を有している。
【００２９】
［２．通信装置の機能構成］
次に、図２及び図３を参照しながら、実施の形態１に係る通信装置６の機能構成について説明する。図２は、実施の形態１に係る通信装置６の機能構成を示すブロック図である。図３は、実施の形態１に係る通信装置６の通信部１６によるデータフレームの送信処理を説明するための図である。
【００３０】
図２に示すように、通信装置６は、記憶部１２と、取得部１４と、通信部１６とを備えている。
【００３１】
記憶部１２は、送信回数情報が予め記憶されたメモリである。送信回数情報は、同一のデータフレームを単位時間内（例えば１秒間）に複数回繰り返し送信する場合の送信回数を示す情報である。より具体的には、送信回数情報は、同一のデータフレームの単位時間あたりのデータ容量に送信回数を乗じた合計データ容量が、無線ネットワーク１０の転送レートを超えないような送信回数を示す情報である。なお、転送レートは、無線ネットワーク１０における単位時間あたりの通信上限データ容量である。例えば、転送レートが９Ｍｂｐｓであり、且つ、データフレームの単位時間あたりのデータ容量が４Ｍｂｐｓである場合には、送信回数情報により示される送信回数は、「２回」である。
【００３２】
取得部１４は、送信回数情報を記憶部１２から読み出すことにより、送信回数情報を取得する。取得部１４は、取得した送信回数情報を通信部１６に出力する。
【００３３】
通信部１６は、有線ネットワークを介して、映像配信装置４との間で有線通信する。また、通信部１６は、無線ネットワーク１０を介して、複数の外部端末８の各々との間で無線通信する。具体的には、通信部１６は、取得部１４からの送信回数情報により示される送信回数（例えば２回）に基づいて、同一のデータフレームを単位時間内に複数回繰り返しマルチキャスト又はブロードキャストで複数の外部端末８の各々に送信する。
【００３４】
例えば、図３に示すように、映像データのデータフレームが、データフレームＡ、データフレームＢ、データフレームＣ、・・・の順に送信される場合に、通信部１６は、同一のデータフレームを１秒間に２回繰り返し送信する。すなわち、通信部１６は、最初の１秒間では、同一のデータフレームＡを２回繰り返し送信し、次の１秒間では、同一のデータフレームＢを２回繰り返し送信し、さらに次の１秒間では、同一のデータフレームＣを２回繰り返し送信する。
【００３５】
また、通信部１６は、単位時間内に複数回繰り返し送信される同一のデータフレームに同一のシーケンス番号を割り当てる。図３に示す例では、通信部１６は、最初の１秒間において、１回目に送信されるデータフレームＡにシーケンス番号「１」を割り当てた場合に、２回目に送信されるデータフレームＡには、上記シーケンス番号「１」と同一のシーケンス番号「１」を割り当てる。同様に、通信部１６は、次の１秒間において、１回目に送信されるデータフレームＢにシーケンス番号「２」を割り当てた場合に、２回目に送信されるデータフレームＢには、上記シーケンス番号「２」と同一のシーケンス番号「２」を割り当てる。同様に、通信部１６は、さらに次の１秒間において、１回目に送信されるデータフレームＣにシーケンス番号「３」を割り当てた場合に、２回目に送信されるデータフレームＣには、上記シーケンス番号「３」と同一のシーケンス番号「３」を割り当てる。
【００３６】
さらに、通信部１６は、単位時間内に１回目に送信される同一のデータフレームの再送ビットを無効化し、且つ、単位時間内に２回目以降に送信（再送）される同一のデータフレームの再送ビットを有効化する。なお、「再送ビットを無効化する」とは、例えばデータフレームのヘッダにおける再送ビット値を「０」にすることである。また、「再送ビットを有効化する」とは、例えばデータフレームのヘッダにおける再送ビット値を「１」にすることである。
【００３７】
ここで、図４及び図５を参照しながら、上述した送信回数と転送レートとの関係について説明する。図４は、比較例に係る通信装置における送信回数と転送レートとの関係を説明するための図である。図５は、実施の形態に係る通信装置６における送信回数と転送レートとの関係を説明するための図である。
【００３８】
例えば、秒間３０フレームの映像データの同一のデータフレーム（以下、「データフレームＡ」という）を１秒間に２回繰り返し送信する場合について考える。データフレームＡの１秒間あたりのデータ容量が４Ｍｂｐｓである場合には、少なくとも転送レートは４Ｍｂｐｓ以上（例えば、転送レートは６Ｍｂｐｓ以上等）を選択する必要がある。
【００３９】
図４の（ａ）に示すように、データフレームＡの１秒間あたりのデータ容量が４Ｍｂｐｓであり、且つ、転送レートが６Ｍｂｐｓである場合には、転送レートとデータ容量とのマージンは２Ｍｂｐｓ（＝６Ｍｂｐｓ−４Ｍｂｐｓ）となる。この場合、図４の（ｂ）に示すように、同一のデータフレームＡを１秒間に２回繰り返し送信した際には、同一のデータフレームＡの１秒間あたりのデータ容量に送信回数を乗じた合計データ容量は、８Ｍｂｐｓ（＝４Ｍｂｐｓ×２回）となり、転送レート（６Ｍｂｐｓ）を超えてしまう。そのため、２回目に送信（再送）したデータフレームＡが１秒以内に収まらず、複数の外部端末８の各々において映像データが正しく再生されないおそれが生じる。
【００４０】
これに対して、図５の（ａ）に示すように、データフレームＡの１秒間あたりのデータ容量が４Ｍｂｐｓであり、且つ、転送レートが９Ｍｂｐｓである場合には、転送レートとデータ容量とのマージンは５Ｍｂｐｓ（＝９Ｍｂｐｓ−４Ｍｂｐｓ）となる。この場合、図５の（ｂ）に示すように、同一のデータフレームＡを１秒間に２回繰り返し送信した際には、同一のデータフレームＡの１秒間あたりのデータ容量に送信回数を乗じた合計データ容量は、８Ｍｂｐｓ（＝４Ｍｂｐｓ×２回）となり、転送レート（９Ｍｂｐｓ）を超えない。そのため、２回目に送信（再送）したデータフレームＡが１秒以内に収まり、複数の外部端末８の各々において映像データが正しく再生される。
【００４１】
以上のことから、上記の例では、転送レートは、データフレームＡの１秒間あたりのデータ容量の２倍以上であるのが好ましい。なお、送信回数情報により示される送信回数は、次式１で近似することができる。
【００４２】
送信回数＝［転送レート÷単位時間あたりのデータ容量］    （式１）
但し、上式の［Ｘ］は、Ｘの整数部分のみを表す。
【００４３】
ここで、本実施の形態に係る上式１では、送信回数を簡便に算出するために、「転送レート」及び「単位時間あたりのデータ容量」を用いて算出しているが、データフレームの送信時における各種ヘッダ容量（例えば、ＩＥＥＥ８０２．１１ヘッダ等）を加味して算出するようにしてもよい。これにより、通信装置６は、送信回数をより精度の高い値で算出することができる。
【００４４】
［３．通信装置の処理］
次に、図６及び図７を参照しながら、実施の形態１に係る通信装置６の処理について説明する。図６は、実施の形態１に係る通信装置６の処理を示すフローチャートである。図７は、実施の形態１に係る通信装置６の処理を説明するための図である。
【００４５】
以下、同一のデータフレームＡを１秒間に２回繰り返し送信する場合における、通信装置６の処理について考える。
【００４６】
図６に示すように、通信装置６の通信部１６は、マルチキャスト又はブロードキャストでの送信でない場合には（Ｓ１０１でＮＯ）、ユニキャストでデータフレームＡの送信処理を行う（Ｓ１０２）。この場合、通信部１６は、データフレームＡを１秒間に１回のみ送信し、処理を終了する。
【００４７】
ステップＳ１０１に戻り、一方、映像配信装置４から送信されたデータフレームＡがマルチキャスト又はブロードキャストでの送信である場合には（Ｓ１０１でＹＥＳ）、通信部１６は、取得部１４に対して、送信回数情報を記憶部１２から読み出すように指示する。本実施の形態では、送信回数情報は、送信回数「２回」を示す情報である。取得部１４は、記憶部１２から送信回数情報を読み出し（Ｓ１０３）、読み出した送信回数情報を通信部１６に出力する。
【００４８】
データフレームＡの送信処理がまだ行われておらず、データフレームＡの送信回数が上限「２回」に達していない場合には（Ｓ１０４でＮＯ）、通信部１６は、データフレームＡの送信が２回目以降の送信であるか否かを確認する（Ｓ１０５）。データフレームＡの送信が２回目以降の送信でない場合には（Ｓ１０５でＮＯ）、通信部１６は、データフレームＡにシーケンス番号「１」を割り当て（Ｓ１０６）、データフレームＡの再送ビットを無効化する（Ｓ１０７）。その後、図７の（ａ）に示すように、通信部１６は、データフレームＡの１回目の送信処理を行う（Ｓ１０８）。これにより、通信部１６は、データフレームＡを複数の外部端末８の各々にマルチキャスト又はブロードキャストで送信する。
【００４９】
ステップＳ１０４に戻り、データフレームＡの１回目の送信処理が完了し、データフレームＡの送信回数が上限「２回」に達していない場合には（Ｓ１０４でＮＯ）、通信部１６は、データフレームＡの送信が２回目以降の送信であるか否かを確認する（Ｓ１０５）。データフレームＡの送信が２回目以降の送信である場合には（Ｓ１０５でＹＥＳ）、通信部１６は、データフレームＡに上記ステップＳ１０６で割り当てたシーケンス番号「１」と同一のシーケンス番号「１」を割り当て（Ｓ１０９）、データフレームＡの再送ビットを有効化する（Ｓ１１０）。その後、図７の（ｂ）に示すように、通信部１６は、データフレームＡの２回目の送信処理を行う（Ｓ１０８）。これにより、通信部１６は、データフレームＡを複数の外部端末８の各々にマルチキャスト又はブロードキャストで送信する。
【００５０】
ステップＳ１０４に戻り、データフレームＡの２回目の送信処理が完了し、データフレームＡの送信回数が上限「２回」に達した場合には（Ｓ１０４でＹＥＳ）、処理を終了する。
【００５１】
［４．効果］
次に、図８を参照しながら、実施の形態１に係る通信装置６により得られる効果について説明する。図８は、実施の形態１に係る通信装置６により得られる効果を説明するための図である。
【００５２】
本実施の形態では、通信部１６は、送信回数情報により示される送信回数（例えば「２回」）に基づいて、同一のデータフレーム（例えば「データフレームＡ」）を単位時間内（例えば１秒間）に複数回繰り返しマルチキャスト又はブロードキャストで複数の外部端末８の各々に送信する。
【００５３】
これにより、例えば図８の（ａ）に示すように、１回目に送信したデータフレームＡが無線レイヤで欠落してこれを受信できなかった外部端末８でも、２回目にマルチキャスト又はブロードキャストで送信されたデータフレームＡを受信することができる。したがって、既存のアプリケーション層を変更することなく、また、受信側である外部端末８の機能構成を変更することなく、無線通信のソフトウェアの再構築を最小限に抑えながら、通信品質を高めることができる。
【００５４】
また、仮に、単位時間内に複数回繰り返し送信される同一のデータフレームに互いに異なるシーケンス番号を割り当てた場合には、複数の外部端末８の各々において、複数回受信したデータフレームがそれぞれ互いに異なるデータフレームとして扱われ、アプリケーション層にフォワードされてしまう。そのため、複数の外部端末８の各々において、同一のデータフレームが複数回受信されてしまい、データフレームの受信処理が破綻するおそれが生じる。
【００５５】
これに対して、本実施の形態では、通信部１６は、単位時間内に複数回繰り返し送信される同一のデータフレームに同一のシーケンス番号（例えば「１」）を割り当てる。これにより、複数の外部端末８の各々において、複数回受信したデータフレームが同一のデータフレームとして扱われる。その結果、例えば図８の（ｂ）に示すように、１回目に送信されたデータフレームＡを受信できた外部端末８では、２回目に送信されたデータフレームＡが無線レイヤで破棄されるので、当該外部端末８が同一のデータフレームを複数回受信するのを回避することができる。
【００５６】
また、単位時間内に複数回繰り返し送信される同一のデータフレームに同一のシーケンス番号を割り当てた場合であっても、外部端末８の実装条件によっては、複数の外部端末８の各々において、同一のデータフレームが複数回受信されてしまう可能性がある。これに対して、本実施の形態では、通信部１６は、単位時間内に１回目に送信される同一のデータフレームの再送ビットを無効化し、且つ、単位時間内に２回目以降に送信される同一のデータフレームの再送ビットを有効化する。これにより、外部端末８が複数の同一のデータフレームを受信した場合でも、１回目に送信されたデータフレームと２回目に送信されたデータフレームとを区別することができる。その結果、例えば図８の（ｂ）に示すように、１回目に送信されたデータフレームＡを受信できた外部端末８では、２回目に送信されたデータフレームＡを無線レイヤでより一層確実に破棄することができる。
【００５７】
［５．変形例］
本実施の形態では、転送レートが９Ｍｂｐｓであり、且つ、送信回数が２回である場合について説明したが、これに限定されない。ＩＥＥＥ８０２．１１シリーズの規格に応じて、種々の転送レートを選択することができる。
【００５８】
ここで、図９を参照しながら、転送レート及び送信回数の他の例について説明する。図９は、ＩＥＥＥ８０２．１１ｎ及びＩＥＥＥ８０２．１１ａｃの各規格における、転送レートと送信回数との対応関係を示す図である。
【００５９】
図９に示すように、ＩＥＥＥ８０２．１１ｎ（ＨＴ４０）の規格では、データフレームの１秒間あたりのデータ容量が４Ｍｂｐｓである場合、転送レート１５０Ｍｂｐｓ、３００Ｍｂｐｓ、４５０Ｍｂｐｓ、６００Ｍｂｐｓに対する送信回数はそれぞれ、上式１から、３７回（≒１５０÷４）、７５回（≒３００÷４）、１１２回（≒４５０÷４）、１５０回（≒６００÷４）となる。
【００６０】
また、図９に示すように、ＩＥＥＥ８０２．１１ａｃ（ＶＨＴ１６０）の規格では、データフレームの１秒間あたりのデータ容量が４Ｍｂｐｓである場合、転送レート８６６Ｍｂｐｓ、１．７Ｇｂｐｓ、２．６Ｇｂｐｓ、３．５Ｇｂｐｓに対する送信回数はそれぞれ、上式１から、２１６回（≒８６６÷４）、４２５回（≒１７００÷４）、６５０回（≒２６００÷４）、８７５回（≒３５００÷４）となる。
【００６１】
なお、一般に、変調方式の特性上、転送レートが高くなるに従って、データフレームの到達率は低くなる傾向にある。しかしながら、上述したように、同一のデータフレームを単位時間内に複数回繰り返し送信することにより、複数回送信したデータフレーム全体の到達率を向上させることができる。
【００６２】
（実施の形態２）
次に、図１０を参照しながら、実施の形態２に係る通信装置６Ａの機能構成について説明する。図１０は、実施の形態２に係る通信装置６Ａの機能構成を示すブロック図である。なお、本実施の形態では、上記実施の形態１と同一の構成要素には同一の符号を付して、その説明を省略する。
【００６３】
上記実施の形態１では、再送回数情報を記憶部１２に予め固定値として記憶させるようにした。本実施の形態では、再生回数を動的に設定する点で、上記実施の形態１と異なる。
【００６４】
図１０に示すように、通信装置６Ａは、上記実施の形態１で説明した記憶部１２に代えて、算出部１８を備えている。算出部１８は、同一のデータフレームの単位時間あたりのデータ容量に基づいて、適切な転送レートを設定するとともに、送信回数を算出する。例えば、データフレームの１秒間あたりのデータ容量が４Ｍｂｐｓである場合には、算出部１８は、転送レートを９Ｍｂｐｓに設定するとともに、上式１に基づいて送信回数「２回」を算出する。また、取得部１４Ａは、算出部１８により算出された送信回数を示す送信回数情報を取得する。本実施の形態は、例えばデータフレームの１秒間あたりのデータ容量をある程度予測できる場合（例えば、通信部１６で受信するデータフレームの種別が予め分かる場合等）に、特に有用である。
【００６５】
このように、本実施の形態では、同一のデータフレームの単位時間あたりのデータ容量に応じて、適切な送信回数を動的に設定することができる。
【００６６】
（他の変形例等）
以上、本発明の通信装置及び通信装置の制御方法について、実施の形態１及び２に基づいて説明したが、本発明は、上記各実施の形態に限定されるものではない。上記各実施の形態に対して当業者が思い付く変形を施して得られる形態、及び、上記各実施の形態における構成要素を任意に組み合わせて実現される別の形態も本発明に含まれる。
【００６７】
上記各実施の形態では、通信装置６が映像データを送信する場合について説明したが、これに限定されず、例えば音声データ等の任意のデータを送信するようにしてもよい。
【００６８】
なお、上記各実施の形態において、各構成要素は、専用のハードウェアで構成されるか、各構成要素に適したソフトウェアプログラムを実行することによって実現されてもよい。各構成要素は、ＣＰＵ又はプロセッサ等のプログラム実行部が、ハードディスク又は半導体メモリ等の記録媒体に記録されたソフトウェアプログラムを読み出して実行することによって実現されてもよい。ここで、上記各実施の形態の通信装置６，６Ａを実現するソフトウェアは、次のようなプログラムである。
【００６９】
すなわち、同一のデータフレームを単位時間内に複数回繰り返し送信する場合の送信回数であって、前記同一のデータフレームの前記単位時間あたりのデータ容量に前記送信回数を乗じた合計データ容量が、前記無線ネットワークの転送レートを超えないような前記送信回数を示す送信回数情報を取得するステップと、前記送信回数情報により示される送信回数に基づいて、前記同一のデータフレームを前記単位時間内に複数回繰り返しマルチキャスト又はブロードキャストで前記複数の外部端末の各々に送信するステップと、を含む通信装置の制御方法をコンピュータに実行させるプログラムである。
【産業上の利用可能性】
【００７０】
本発明の通信装置は、例えば通信装置と複数の外部端末の各々とが無線ネットワークを介して接続された通信システム等に適用することができる。
【符号の説明】
【００７１】
２  通信システム
４  映像配信装置
６，６Ａ  通信装置
８  外部端末
１０  無線ネットワーク
１２  記憶部
１４  取得部
１６  通信部
１８  算出部
【図１】
2020137055.tif 000003
【図２】
2020137055.tif 000004
【図３】
2020137055.tif 000005
【図４】
2020137055.tif 000006
【図５】
2020137055.tif 000007
【図６】
2020137055.tif 000008
【図７】
2020137055.tif 000009
【図８】
2020137055.tif 000010
【図９】
2020137055.tif 000011
【図１０】
2020137055.tif 000012